【手続補正書】
【提出日】平成26年8月23日(2014.8.23)
【手続補正１】
【補正対象書類名】特許請求の範囲
【補正対象項目名】全文
【補正方法】変更
【補正の内容】
【特許請求の範囲】
【請求項１】
ゴルフクラブヘッドであって、
当該ゴルフクラブヘッドの上側表面を形成するクラウンと、
上記ゴルフクラブヘッドの下側表面を形成するソールであって、案内部分、屈曲部、および後方部分を有する上記ソールと、
上記クラウンおよび上記ソールの間を伸びる側壁と、
上記クラウンから伸び、シャフト穴を含むホーゼルと、
ボール打撃表面を形成しリーディングエッジにおいて上記案内部分と交差するフェースとを有し、
上記屈曲部は上記案内部分によって上記ボール打撃表面の後方に離間され、上記屈曲部は、前面壁部、頂部、および、後方壁部を有し、上記前面壁部は当該ゴルフクラブヘッドにより形成されるキャビティ内に伸び、上記後方壁部は上記キャビティ内に伸び、上記前面壁部および上記後方壁部は上記頂部で結合され、
上記屈曲部は上記ボール打撃表面から、上記ゴルフクラブヘッドの幾何フェース中心と、上記ゴルフクラブヘッドの前方から後方に伸びる水平Ｚ−軸に沿う上記ゴルフクラブヘッドの重心との間のＣＧ−Ｚ−ｆｃの距離の２０％および５０％の間の距離だけ離間されることを特徴とするゴルフクラブヘッド。
【手続補正２】
【補正対象書類名】明細書
【補正対象項目名】００２４
【補正方法】変更
【補正の内容】
【００２４】
フェースインサート３０の厚さは好ましくは約０．５ｍｍおよび約４．０ｍｍの間である。さらに、インサート３０は均一厚さでも、可変厚さでもよい。例えば、フェースインサート３０は厚い中央部分および薄い外側部分を有して良い。他の実施例では、フェース３０は、２または複数の異なる厚さを伴って良く、異なる厚さの間の遷移は、アール状であっても、ステップ状であっても良い。代替的には、フェースインサート３０の厚さは、トウ部分２６、ヒール部分２８、クラウン部分１２、および／またはソール部分１４に向かって増大し、または減少して良い。フェース１８のボール打撃表面または背面表面の一方または双方はフェースインサート３０の厚さを可変するために曲げられ、ステップ状にされ、または平坦とされる少なくとも一部を有して良い。
【手続補正３】
【補正対象書類名】明細書
【補正対象項目名】０１４０
【補正方法】変更
【補正の内容】
【０１４０】
この発明の種々の詳細が先に記述されたけれども、各実施例の種々の特徴は単独でも任意の組み合わせでも利用できることに留意されたい。したがって、この発明は、ここで示した具体的な好ましい実施例のみに限定されるべきではない。さらに、この発明の趣旨および範囲から逸脱しない種々の変形および修正がこの発明の属する分野の当業者に可能であることに留意されたい。例えば、フェースインサートはステップ状の連続態様で厚さを変化させてよい。さらにスロットの形状および位置は開示されたものに限定されない。したがって、この発明の趣旨および範囲から逸脱せずに、ここで開示された内容から当業者が容易に行うことができる便宜的な修正は、この発明の他の実施例に含まれることになる。この発明の範囲は添付の特許請求の範囲に定義されるところである。
以下、ここで説明した技術的特徴についてまとめておく。
［技術的特徴１］
ゴルフクラブヘッドであって、
当該ゴルフクラブヘッドの上側表面を形成するクラウンと、
上記ゴルフクラブヘッドの下側表面を形成するソールであって、案内部分、屈曲部、および後方部分を有する上記ソールと、
上記クラウンおよび上記ソールの間を伸びる側壁と、
上記クラウンから伸び、シャフト穴を含むホーゼルと、
ボール打撃表面を形成しリーディングエッジにおいて上記案内部分と交差するフェースとを有し、
上記屈曲部は上記案内部分によって上記ボール打撃表面の後方に離間され、上記屈曲部は、前面壁部、頂部、および、後方壁部を有し、上記前面壁部は当該ゴルフクラブヘッドにより形成されるキャビティ内に伸び、上記後方壁部は上記キャビティ内に伸び、上記前面壁部および上記後方壁部は上記頂部で結合され、
上記屈曲部は上記ボール打撃表面から、上記ゴルフクラブヘッドの幾何フェース中心と、上記ゴルフクラブヘッドの前方から後方に伸びる水平Ｚ−軸に沿う上記ゴルフクラブヘッドの重心との間のＣＧ−Ｚ−ｆｃの距離の２０％および５０％の間の距離だけ離間されることを特徴とするゴルフクラブヘッド。
［技術的特徴２］
上記屈曲部は上記ボール打撃表面から、上記ゴルフクラブヘッドの幾何フェース中心と、上記ゴルフクラブヘッドの前方から後方に伸びる水平Ｚ−軸に沿う上記ゴルフクラブヘッドの重心との間のＣＧ−Ｚ−ｆｃの距離の２５％および４５％の間の距離だけ離間される技術的特徴１記載のゴルフクラブヘッド。
［技術的特徴３］
上記屈曲部の高さおよび幅の合計が、地面平面と、垂直Ｙ−軸に沿う上記ゴルフクラブヘッドの重心との間のＣＧ−Ｙ−ｇの距離の３０％内である技術的特徴１記載のゴルフクラブヘッド。
［技術的特徴４］
上記屈曲部の高さおよび幅の合計が、地面平面と、垂直Ｙ−軸に沿う上記ゴルフクラブヘッドの重心との間のＣＧ−Ｙ−ｇの距離の２０％内である技術的特徴３記載のゴルフクラブヘッド。
［技術的特徴５］
上記案内部分の厚さは少なくとも最小フェース厚さの５０％である技術的特徴１記載のゴルフクラブヘッド。
［技術的特徴６］
上記案内部分の厚さは、上記フェースに隣接する箇所から上記屈曲部に向けて減少する技術的特徴１記載のゴルフクラブヘッド。
［技術的特徴７］
上記案内部分の厚さは少なくとも４％だけテーパ状に減少する技術的特徴６記載のゴルフクラブヘッド。
［技術的特徴８］
上記案内部分の厚さは当該案内部分の長さの少なくとも６０％に渡ってほぼ一定である技術的特徴１記載のゴルフクラブヘッド。
［技術的特徴９］
上記前面壁部の厚さ、および、上記後方壁部の厚さは上記前面壁部の厚さの４０％より少ない厚さしか異ならない技術的特徴１記載のゴルフクラブヘッド。
［技術的特徴１０］
上記前面壁部の厚さ、および、上記後方壁部の厚さの各々は上記最小フェース厚さの９０％より薄い技術的特徴１記載のゴルフクラブヘッド。
［技術的特徴１１］
上記頂部の厚さは、上記前方壁部の厚さ、および上記後方壁部の厚さのうちの厚いものから３０％より少ない厚さしか異ならない技術的特徴１記載のゴルフクラブヘッド。
［技術的特徴１２］
上記案内部分の最小厚さは、上記案内部分の最大厚さの７０％より薄い技術的特徴１記載のゴルフクラブヘッド。
［技術的特徴１３］
上記屈曲部より後方に３０．０ｍｍ以内の上記ソールの部分の厚さは上記案内部分の最小厚さより厚く、上記屈曲部の上記後方壁部の直後のソールの厚さは上記案内部分の最小厚さより薄い技術的特徴１記載のゴルフクラブヘッド。
［技術的特徴１４］
上記屈曲部の上記後方壁部の直後のソールの厚さは上記案内部分の最小厚さの７０％より薄い技術的特徴１記載のゴルフクラブヘッド。
［技術的特徴１５］
上記屈曲部の上記後方壁部の直後のソールの厚さは上記案内部分の最小厚さの６０％より薄い技術的特徴１４記載のゴルフクラブヘッド。
［技術的特徴１６］
上記ボール打撃表面は、第１のロール半径を形成する上側部分と、上記第１のロール半径より大きな第２のロール半径を形成する下側部分とを含む技術的特徴１記載のゴルフクラブヘッド。
［技術的特徴１７］
上記屈曲部は柔軟性インサートを少なくとも部分的に充填し、上記柔軟性インサートは密度が少なくとも１２．０ｇ／ｃｃである材料を有する技術的特徴１記載のゴルフクラブヘッド。
［技術的特徴１８］
後退部において上記ソールと結合されるソール板をさらに有し、上記後退部は少なくとも部分的に屈曲部により形成される技術的特徴１記載のゴルフクラブヘッド。
［技術的特徴１９］
上記ゴルフクラブヘッドに結合されて上記屈曲部と交差するウエイト部材をさらに有する技術的特徴１記載のゴルフクラブヘッド。
［技術的特徴２０］
上記ＣＧ−Ｚ−ｆｃの距離は少なくとも３３．０ｍｍであり、上記重心を通り抜ける垂直軸の回りの慣性モーメントは少なくとも４５０ｋｇ−ｍｍ２である技術的特徴１記載のゴルフクラブヘッド。